(57)【要約】【課題】  一方の装飾体によって他方の装飾体が隠れることなく、それらの個性をいかんなく表現できる吊下げ具を提供することである。【解決手段】  吊下げ具本体４には、それを吊り上げる吊上げ支点５と、一対の装飾体Ｍ１，Ｍ２の間隔を保った吊下げ部６，７とが備えられている。また、上記一対の吊下げ部６，７のそれぞれには、装飾体Ｍ１，Ｍ２を吊り下げ可能にしている。そして、上記吊下げ部６，７間の距離Ｌは、一対の上記吊下げ部６，７に吊り下げられた各装飾体Ｍ１，Ｍ２をそれら吊下げ部６，７を通る鉛直線ｖ１，ｖ２で区切ったとき、上記鉛直線ｖ１，ｖ２よりも内側における上記装飾体Ｍ１，Ｍ２のほぼ半分側の最大幅Ｌ１，Ｌ２の合計よりも広く保たれている。【選択図】  図１
0003213917.tif 000002
【実用新案登録請求の範囲】
【請求項１】
吊下げ具本体には、
吊下げ具本体を吊るすための吊上げ支点と、
一対の装飾体の間隔を保った吊下げ部と
が備えられ、
上記吊下げ具本体が上記吊上げ支点から吊るされたとき、上記一対の吊下げ部間を結ぶ直線がほぼ水平になる平衡状態が保たれ、
上記一対の吊下げ部のそれぞれには装飾体を吊り下げ可能にするとともに、
上記吊下げ部間の距離は、
一対の上記吊下げ部に吊り下げられた各装飾体をそれら吊下げ部を通る鉛直線で区切ったとき、上記鉛直線よりも内側における上記装飾体のほぼ半分側の最大幅の合計よりも大きく保たれ、
それら吊下げ部に吊り下げられた装飾体が重なり合わない状態が保たれる吊下げ具。
【請求項２】
上記吊下げ具本体は、柔軟性を備えた素材で製造された請求項１に記載の吊下げ具。
【考案の詳細な説明】
【技術分野】
【０００１】
この考案は、人形等の装飾体を吊り下げる吊下げ具に関する。
【背景技術】
【０００２】
最近では、思い入れの強いキャラクター人形をペアにして、カバン等に吊り下げて持ち歩く若者が多くなってきた。キャラクター人形をペアにして持ち歩く目的は、たくさんのキャラクターの中から思い入れの強いペアを選択して、ペアの個性を自己表現の手段にしたり、仲の良い友人や恋人同士がお互いを認め合う手段にしたりして楽しむためである。
【０００３】
このような複数の装飾体を一つにまとめて保持する吊下げ具として、特許文献１に記載されたものが従来から知られている。
図２に示した従来の吊下げ具は、カバン等へ取り付ける連結部材１に金属製のリング部材２を連結させ、このリング部材２に複数の保持部材３を介して装飾体を吊り下げるようにしている。
【０００４】
この吊下げ具に吊り下げられた複数の装飾体は、それらの自重によってリング部材２の下部に集まって、複数の装飾体が重なり合ってしまう。
【先行技術文献】
【特許文献】
【０００５】
【特許文献１】特開２０００−１１６４９５号公報
【特許文献２】実用新案登録第３１２１２７０号公報
【考案の概要】
【考案が解決しようとする課題】
【０００６】
従来の吊下げ具では、装飾体であるキャラクター人形などが重なり合って、それらの個性が、外見からほとんど分からなくなってしまう。
キャラクター人形などの個性が外見から分からなくなれば、それらは自己表現の手段あるいは仲の良い友人や恋人同士がお互いを認め合う手段としての思い入れがほとんど表現できなくなってしまう。
しかし、最近の若者は、単に物を所有するだけでは満足せず、その物によって自分の内面にある思いを表現したいという欲求が強いが、従来の吊下げ具では、このような欲求に応えることができなかった。
【０００７】
さらに、リング部材２は硬い金属で製造されているので、例えば、装飾体が衣服に引っ掛かってリング部材２に大きな力が加わったとき、上記保持部材３にも大きな力が加わり、この保持部材３が変形してしまう場合があった。上記保持部材３が変形してしまえば、装飾体が吊下げ具から容易に外れてしまう。
【０００８】
この考案の目的は、一方の装飾体によって他方の装飾体が隠れることなく、それらの個性をいかんなく表現できる吊下げ具を提供することである。
【課題を解決するための手段】
【０００９】
第１の考案は、吊下げ具本体には、それを吊るすための吊上げ支点と、一対の装飾体の間隔を保った吊下げ部とが備えられている。そして、上記吊下げ具本体が吊上げ支点で吊るされたとき、上記一対の吊下げ部間を結ぶ直線がほぼ水平になる平衡状態が保たれる構成にしている。
【００１０】
また、上記一対の吊下げ部のそれぞれに装飾体を吊り下げ可能にするとともに、上記吊下げ部間の距離を次のように設定している。
すなわち、上記吊下げ部間の距離は、一対の上記吊下げ部に吊り下げられた各装飾体をそれら吊下げ部を通る鉛直線で区切ったとき、上記鉛直線よりも内側における上記装飾体のほぼ半分側の最大幅の合計よりも大きく保たれている。したがって、吊下げ部に吊り下げられた装飾体が重なり合うことはない。
【００１１】
第２の考案は、上記吊下げ具本体が、柔軟性を備えた素材で製造されたことを特徴としている。
なお、この素材には、吊下げ具本体の形状をある程度維持できる硬度を備えたゴムやシリコーンなどが用いられている。
【考案の効果】
【００１２】
第１の考案によれば、一対の装飾体が吊り下げられたとき、それら装飾体が重なることがない。このようにそれぞれの装飾体が重ならないので、外見から装飾体の個性を必ず認識できる。
外見から装飾体の個性を必ず認識できるので、例えばキャラクター人形のような一対の装飾体を、自己表現の手段あるいは仲の良い友人や恋人同士がお互いを認め合う手段にしたとき、それらの機能をいかんなく発揮できる。
したがって、単に物を所有するだけでは満足せず、その物によって自分の内面にある思いを表現したいという最近の若者の欲求を十分に満たすことができる。
【００１３】
第２の考案によれば、上記吊下げ具本体は柔軟性を備えた素材で製造されているので、仮に装飾体が衣服に引っ掛かった場合でも、上記吊下げ具本体が撓むことで、上記吊下げ部に加わっていた力が分散される。そのため、上記吊下げ具本体から装飾体が外れにくくなった。
また、上記吊下げ具本体が柔軟性を備えているので、上記吊下げ具本体が衣服に引っ掛かったり、人にぶつかったりしても、物や人を傷つけることがない。
【図面の簡単な説明】
【００１４】
【図１】この考案において装飾体を取り付けた状態を示した正面図である。
【図２】従来の吊下げ具の正面図である。
【考案を実施するための形態】
【００１５】
図１を用いて、この考案の実施形態を説明する。
この考案の実施形態は、図１に示すように、一対のキャラクター人形からなる装飾体Ｍ１，Ｍ２を吊り下げる吊下げ具である。
この吊下げ具は、カバンや携帯電話、あるいはスマートフォンなどに取り付ける連結部材１と、吊下げ具本体４とからなる。
【００１６】
上記吊下げ具本体４には、その長手方向のほぼ中央に上記連結部材１に吊るされる吊上げ支点５が備えられるとともに、その両端には、一対の装飾体Ｍ１，Ｍ２を吊り下げる吊下げ部６，７が備えられている。上記吊上げ支点５と一対の吊下げ部６，７とは、上記吊下げ具本体４に穴を貫通して形成されている。
そして、これらの穴には、リング８がそれぞれ連結されている。
なお、この吊下げ具本体４は、柔軟性があるゴムやシリコーンなどで製造されている。
【００１７】
上記吊下げ具本体４の吊上げ支点５には、上記リング８を介して、紐やボールチェーンリングなどの連結部材１が接続されている。
この連結部材１に吊るされた吊下げ具本体４は、上記一対の吊下げ部６，７を結ぶ直線がほぼ水平になる平衡状態が保たれるようにしている。
【００１８】
そして、一対の吊下げ部６，７には、上記リング８を介して、一対の装飾体Ｍ１，Ｍ２がそれぞれ吊り下げられている。
このように上記装飾体Ｍ１，Ｍ２が吊下げ具に吊り下げられたとき、これら吊下げ具本体４の両端に設けられた吊下げ部６，７は、一対の装飾体Ｍ１，Ｍ２が互いに接触しない間隔を保っている。
【００１９】
言い換えると、一対の吊下げ部６，７間の距離Ｌは、一対の上記吊下げ部６，７に吊り下げられた各装飾体Ｍ１，Ｍ２を上記吊下げ部６，７を通る鉛直線ｖ１，ｖ２で区切ったとき、上記鉛直線ｖ１，ｖ２よりも内側における装飾体Ｍ１，Ｍ２のほぼ半分側の最大幅Ｌ１，Ｌ２の合計よりも大きく保たれている。
つまり、一対の吊下げ部６，７間の距離Ｌ、および一方の装飾体Ｍ１の上記最大幅Ｌ１と他方の装飾体Ｍ２の上記最大幅Ｌ２とは、「Ｌ＞Ｌ１＋Ｌ２」の関係が保たれている。
【００２０】
この実施形態によれば、一対の装飾体Ｍ１，Ｍ２が吊り下げられたとき、互いに干渉しない距離Ｌを吊下げ具本体４が備えているので、互いの装飾体Ｍ１，Ｍ２が重ならない。このように互いの装飾体Ｍ１，Ｍ２が重ならないので、どちらか片方の装飾体Ｍ１，Ｍ２が隠れて見えなくなることがない。
したがって、外見から一対の装飾体Ｍ１，Ｍ２の個性を必ず認識することができる。
【００２１】
外見から装飾体の個性を必ず認識できるので、キャラクター人形などの装飾体Ｍ１，Ｍ２を自己表現の手段にしたり、仲の良い友人や恋人同士がお互いを認め合う手段にしたりしたときに、それらの機能をいかんなく発揮できる。
したがって、単に物を所有するだけでは満足せず、その物によって自分の内面にある思いを表現したいという最近の若者の欲求を十分に満たすことができる。
【００２２】
さらに、上記吊下げ具本体４は柔軟性を備えた素材で製造されているので、仮に装飾体Ｍ１，Ｍ２が衣服に引っ掛かった場合でも、上記吊下げ具本体４が撓むことで、上記吊下げ部６，７に加わっていた力が分散される。上記吊下げ部６，７に加わっていた力が分散されることによってリング８も変形しにくくなり、上記吊下げ具本体４から装飾体Ｍ１，Ｍ２が外れにくくなった。
そして、上記吊下げ具本体４は柔軟性を備えているので、上記吊下げ具本体４が衣服に引っ掛かったり、人にぶつかったりしても、物や人を傷つけない。
【００２３】
なお、この実施形態では、上記吊下げ具本体４は柔軟性があるゴムやシリコーンなどで製造されているが、一対の装飾体Ｍ１，Ｍ２を保持できれば、どのような素材を用いてもかまわない。例えば、樹脂や木材、金属などの素材であってもよい。さらに、吊下げ具本体４の形状は、上記した構成の関係が満たされるならば、どのような形状でもよいことは当然である。
【００２４】
また、この実施形態の上記装飾体Ｍ１，Ｍ２は、ぬいぐるみや、人形、ラバーマスコット、フィギア、模型など、いずれであってもよい。
【産業上の利用可能性】
【００２５】
ペアの装飾体をカバン等に吊り下げる場合に有用である。
【符号の説明】
【００２６】
１…連結部材、４…吊下げ具本体、５…吊上げ支点、６，７…吊下げ部、８…リング、Ｍ１，Ｍ２…装飾体
【図１】
0003213917.tif 000003
【図２】
0003213917.tif 000004